(57)【要約】      （修正有）【課題】毛髪を簡単に且つきれいにストレート処理するためにヘアアイロンに取り付けて使用することができる毛髪梳き具を提供する。【解決手段】ヘアアイロン２の加熱アイロン部１０（１２）に取り付けられる毛髪梳き本体部１６と、毛髪梳き本体部１６の一端部に設けられた毛髪梳き部３６と、毛髪梳き本体部１６の他端部に設けられた毛髪冷却部３８とを備えた毛髪梳き具１４であって、毛髪梳き部は多数の柔軟な小突起部を有する毛髪梳き部材４０から構成され、毛髪冷却部は皮革部材４６から構成され、毛髪梳き部が加熱アイロン部の下流側に位置し、毛髪冷却部が加熱アイロン部の上流側に位置する構成とすることで、毛髪梳き部で毛髪を梳いてストレートに伸ばして加熱アイロン部に導くことができ、加熱アイロン部で加熱してストレートになった毛髪を毛髪冷却部に導いて冷却して毛髪の保水を保つことができ、熱によるダメージを抑えることができる。【選択図】図１
2019122650.tif 000002
【特許請求の範囲】
【請求項１】
ヘアアイロンの加熱アイロン部に取り付けられる毛髪梳き本体部と、前記毛髪梳き本体部の一端部に設けられた毛髪梳き部と、前記毛髪梳き本体部の他端部に設けられた毛髪冷却部とを備え、前記毛髪梳き部は多数の柔軟な小突起部を有する毛髪梳き部材から構成され、前記毛髪冷却部は皮革部材から構成され、前記毛髪梳き部が前記加熱アイロン部の下流側に位置し、前記毛髪冷却部が前記加熱アイロン部の上流側に位置することを特徴とする毛髪梳き具。
【請求項２】
前記毛髪梳き部は多数のＪ字状の小突起部を有する毛髪梳き部材から構成され、前記毛髪冷却部は動物の皮革部材から構成されていることを特徴とする請求項１に記載の毛髪梳き具。
【請求項３】
前記毛髪梳き本体部の前記一端部には、一対の第１切欠き形成することにより第１取付部が設けられ、その他端部には、一対の第２切欠きを形成することにより第２取付部が設けられていることを特徴とする請求項１又は２に記載の毛髪梳き具。
【請求項４】
前記毛髪梳き本体部は、相互に近接及び離隔する方向に移動自在に装着された第１及び第２本体部から構成され、前記第１本体部の先端側に前記毛髪梳き部が設けられ、前記第２本体部の先端側に前記毛髪冷却部が設けられ、前記第１及び第２本体部を相対的に移動させることにより、前記毛髪梳き部と前記毛髪冷却部との間隔が調整されることを特徴とする請求項１〜３のいずれかに記載の毛髪梳き具。
【請求項５】
開閉自在に相互に連結された第１及び第２アームと、前記第１アームの先端部に設けられた第１加熱アイロン部と、前記第２アームの先端部に設けられた第２加熱アイロン部と、請求項１〜４のいずれかに記載の毛髪梳き具とを備え、前記第１及び第２加熱アイロン部の少なくとも一方に前記毛髪梳き具が着脱自在に取り付けられ、前記毛髪梳き具が取り付けられた加熱アイロン部の上流側に前記毛髪梳き具の前記毛髪梳き部が位置し、前記加熱アイロン部の下流側に前記毛髪梳き具の前記毛髪冷却部が位置することを特徴とするヘアアイロン。
【発明の詳細な説明】
【技術分野】
【０００１】
本発明は、髪の癖毛をきれいに伸ばすときに用いる毛髪梳き具及びこれを備えたヘアアイロンに関する。
【背景技術】
【０００２】
美容業界では、長い毛髪をストレートにする需要があり、ストレートにするときには、通常、ヘアアイロンを用いてストレートパーマをかけている。このヘアアイロンとしては、例えば、相互に開閉自在に連結された一対のアームと、一対のアームの先端部に設けられた加熱アイロン部と、各加熱アイロン部に内蔵された加熱ヒータとを備え、加熱ヒータからの熱により暖められた一対の加熱アイロン部間に毛髪を挟んで伸ばすようにしてストレートにしている。
【０００３】
しかし、このようなヘアアイロンは、ストレートパーマをかけることができるが、ストレートパーマをかける際に、毛髪を適度に取り分けたりするために櫛などを必要とする。実際に作業をする際に、片方の手でヘアアイロンを持って毛髪に対してストレートパーマを行い、他方の手で櫛をもって毛髪のブラッシングを行っているので、その作業が不便であるととともに、毛髪をストレートにするその効率（所謂、ストレート効率）も低いという問題がある。
【０００４】
このようなことから、ストレートパーマに用いることを主目的としたヘアアイロンが提案されている（例えば、特許文献１参照）。このヘアアイロンでは、片方のアームにおける加熱アイロン部の両側に櫛部が設けられ、櫛部にてブラッシングした毛髪が一対の加熱アイロン部間に導かれ、かかる一対の加熱アイロン部間にて加熱されてストレート処理される。
【０００５】
また、このようなヘアアイロンに用いるアタッチメントも提案されている（例えば、特許文献２参照）。このアタッチメントは、一対のアームの先端部に取り付けられ、取り付けた状態では、一対のアタッチメントの対向する加熱面が毛髪を挟むように構成されている。
【先行技術文献】
【特許文献】
【０００６】
【特許文献１】特開２００７−７５５７３号公報
【特許文献２】特開２０１１−７２３４４号公報
【発明の概要】
【発明が解決しようとする課題】
【０００７】
しかしながら、上述したヘアアイロンでは、髪の毛の太さ（平均約０．８ｍｍ）からすると大まかであり、ここでの櫛歯は１本ずつでそれらの間隔が１ｍｍ程度であり、毛髪が簡単にすりぬけてしまう。それ故に、この櫛部は、毛髪の癖毛を均一に引っ張り、テンションをかけて伸ばすわけではなく、単に毛髪を揃えるに過ぎず、従って、毛髪を本当に伸ばすためには、一対の加熱アイロン部に挟んで引っ張るようになり、施術者によっては引っ張られて痛く感じることがある。
【０００８】
また、ヘアアイロンに装着されるアタッチメントでは、火傷防止のための構造が不十分であるとともに、デザイン性や機能性の面で実用性が乏しいという問題がある。
【０００９】
本発明の目的は、毛髪をストレートにするためにヘアアイロンに取り付けて使用することができる毛髪梳き具を提供することである。
【００１０】
また、本発明の他の目的は、毛髪を簡単に且つきれいにストレート処理することができるヘアアイロンを提供することである。
【課題を解決するための手段】
【００１１】
本発明の毛髪梳き具は、ヘアアイロンの加熱アイロン部に取り付けられる毛髪梳き本体部と、前記毛髪梳き本体部の一端部に設けられた毛髪梳き部と、前記毛髪梳き本体部の他端部に設けられた毛髪冷却部とを備え、前記毛髪梳き部は多数の柔軟な小突起部を有する毛髪梳き部材から構成され、前記毛髪冷却部は皮革部材から構成され、前記毛髪梳き部が前記加熱アイロン部の下流側に位置し、前記毛髪冷却部が前記加熱アイロン部の上流側に位置することを特徴とする。
【００１２】
このような毛髪梳き具では、毛髪梳き部を多数のＪ字状の小突起部を有する毛髪梳き部材から構成し、毛髪冷却部を動物の皮革部材から構成するのが好ましく、毛髪梳き本体部の一端部に一対の第１切欠きを形成することにより第１取付部を設け、その他端部に一対の第２切欠きを形成することにより第２取付部を設けることが好ましく、また毛髪梳き本体部を第１及び第２本体部から構成し、第１本体部の先端側に毛髪梳き部を設け、第２本体部の先端側に毛髪冷却部を設け、第１及び第２本体部を相対的に移動させて毛髪梳き部と毛髪冷却部との間隔を調整できるようにするのが好ましい。
【００１３】
更に、本発明のヘアアイロンは、開閉自在に相互に連結された第１及び第２アームと、前記第１アームの先端部に設けられた第１加熱アイロン部と、前記第２アームの先端部に設けられた第２加熱アイロン部と、請求項１〜４のいずれかに記載の毛髪梳き具とを備え、前記第１及び第２加熱アイロン部の少なくとも一方に前記毛髪梳き具が着脱自在に取り付けられ、前記毛髪梳き具が取り付けられた加熱アイロン部の下流側に前記毛髪梳き具の前記毛髪梳き部が位置し、前記加熱アイロン部の上流側に前記毛髪梳き具の前記毛髪冷却部が位置することを特徴とする。
【発明の効果】
【００１４】
本発明の毛髪梳き具によれば、毛髪梳き本体部の一端部に毛髪梳き部が設けられ、その他端部に毛髪冷却部が設けられ、この毛髪梳き本体部をヘアアイロンの加熱アイロン部に装着すると、この毛髪梳き部が加熱アイロン部の下流側に位置し、この毛髪冷却部が加熱アイロン部の上流側に位置する。従って、この毛髪梳き具をヘアアイロンに取り付けて使用すると、毛髪梳き部で毛髪を梳いてストレートに伸ばして加熱アイロン部に導くことができ、また加熱アイロン部で加熱してストレートになった毛髪を毛髪冷却部に導いて冷却して毛髪の保水を保つことができ、これにより、ストレートパーマを行った際の熱による毛髪のダメージを抑えることができるとともに、施術者が毛髪を触ることによる火傷も防止することができる。
【００１５】
また、毛髪梳き部は多数の柔軟な小突起部を有する毛髪梳き部材から構成されるので、毛髪に適度のテンションを加えことが可能となり、毛髪のストレート効率を高めることができる。更に、毛髪冷却部は皮革部材から構成されているので、熱によりストレート処理された毛髪を効果的に冷却して保水効果を保つことができる。
【００１６】
このような毛髪梳き具において、毛髪梳き部を多数のＪ字状の小突起部を有する毛髪梳き部材から構成することにより、毛髪に適度のテンションを加え、癖毛などでもストレートに伸ばして効率良くストレートパーマをかけることができる。また、毛髪冷却部を動物の皮革部材（例えば、豚革など）から構成することにより、熱によりストレート処理された毛髪をより効果的に冷却することができる。
【００１７】
更に、毛髪梳き本体部の一端部に一対の第１切欠きを形成することにより第１取付部を設け、その他端部に一対の第２切欠きを設けることにより第２取付部を設けているので、これら第１及び第２取付部により毛髪梳き本体部をヘアアイロンの加熱アイロン部に取り付けることができるとともに、第１及び第２取付部から毛髪梳き部及び毛髪冷却部への熱の伝達を抑えることができる。
【００１８】
更にまた、毛髪梳き本体部を第１及び第２本体部から構成し、第１本体部の先端側に毛髪梳き部を設け、第２本体部の先端側に毛髪冷却部を設け設けることにより、第１及び第２本体部を相対的に移動させて毛髪梳き部と毛髪冷却部との間隔を調整することができ、異なる大きさの加熱アイロン部にもその幅を調節して取り付けることが可能となる。
【００１９】
更に、本発明のヘアアイロンによれば、開閉自在に相互に連結された第１及び第２アームと、第１アームの先端部に設けられた第１加熱アイロン部と、第２アームの先端部に設けられた第２加熱アイロン部と、請求項１〜４のいずれかに記載の毛髪梳き具とを備え、第１及び第２加熱アイロン部の少なくとも一方に毛髪梳き具が着脱自在に取り付けられるので、この毛髪梳き具を取り付けることにより、ストレートパーマ用のヘアアイロンとして用いることができる。また、この毛髪梳き具を取り付けた状態では、第１アーム（及び／又は第２アーム）の第１加熱アイロン部（及び／又は第２アーム）の下流側に毛髪梳き具の毛髪梳き部が位置し、その上流側に毛髪梳き具の毛髪冷却部が位置するので、毛髪梳き部で毛髪を梳いてストレートに伸ばして加熱アイロン部に導くことができ、また加熱アイロン部で加熱してストレートになった毛髪を毛髪冷却部に導いて冷却保水することができる。
【図面の簡単な説明】
【００２０】
【図１】本発明に従うヘアアイロン（本発明に従う毛髪梳き具の一実施形態を装着したヘアアイロン）の一実施形態を示す斜視図。
【図２】図１のヘアアイロンにおける毛髪梳き具を展開して示す展開図。
【図３】図２の毛髪梳き具における毛髪梳き本体部を示す斜視図。
【図４】図２の毛髪梳き具における毛髪梳き部の一部を拡大して示す部分拡大断面図。
【図５】毛髪梳き具の毛髪梳き本体部の変形形態を示す平面図。
【図６】図５におけるＶＩ−ＶＩ線で示す方向から見た側面図。
【図７】第２の実施形態の毛髪梳き具を取り付けた状態のヘアアイロンの一部を示す部分斜視図。
【図８】第３の実施形態の毛髪梳き具を示す斜視図。
【図９】図８の毛髪梳き具の毛髪梳き本体部を分解展開して示す平面図。
【図１０】図９の毛髪梳き本体部の組み付ける前の状態を示す側面図。
【発明を実施するための形態】
【００２１】
以下、添付図面を参照して、本発明に従うヘアアイロン（本発明に従う毛髪梳き具の一実施形態を装着したヘアアイロン）の一実施形態について説明する。まず、図１〜図４を参照して、第１の実施形態のヘアアイロン（毛髪梳き具）について説明する。
【００２２】
図１において、このヘアアイロン２は、棒状に延びる第１アーム４及び第２アーム６を備え、これら第１アーム４及び第２アーム６の基部が連結部８を介して相互に開閉自在に連結されている。この連結部８にはコイルばね（図示せず）が設けられ、かかるコイルばねは、第１及び第２アーム４，６を開放方向に弾性的に付勢する。
【００２３】
第１アーム４の先端部には第１加熱アイロン部１０が設けられ、この第１加熱アイロン部１０には第１加熱ヒータ（図示せず）が内蔵されている。また、第２アーム６の先端部には第２加熱アイロン部１２が設けられ、この第２加熱アイロン部１２には第２加熱ヒータ（図示せず）が内蔵されている。第１及び第２加熱アイロン部１０，１２は、矩形状で第１及び第２アーム４，６の軸方向に細長く、それらの表面（相互に対向する表面）は平坦状に形成され、相互に接触するように構成されている。
【００２４】
この実施形態では、第１及び第２アーム４，６の第１及び第２加熱アイロン部１０，１２の双方に毛髪梳き具１４が装着されている。図１に示す装着状態は、左利き用のものであって、左手で握ってストレートパーマをかけるようになる。尚、右利き用のものでは、この毛髪梳き具１４を上下逆にして第１及び第２アーム４，６に装着するようになる。尚、この毛髪梳き具１４は、第１及び第２アーム４，６の双方に装着するのが望ましいが、いずれか一方に装着することにより所望の効果を達成することができる。
【００２５】
図１とともに図２及び図３を参照して、図示の毛髪梳き具１４は、毛髪梳き本体部１６を備え、この毛髪梳き本体部１６は、略矩形状の本体壁部１８と、この本体壁部１８の一端側に設けられた一端側側壁部２０と、その他端側に設けられた他端側側壁部２２とを備え、この一端側側壁部２０の先端部には内側（他端側側壁部２２）に向けて延びる一端側内突出部２４が設けられ、その他端側側壁部２２の先端部には内側（一端側側壁部２０）に向けて延びる他端側内突出部２６が設けられている。
【００２６】
この毛髪梳き本体部１６の一端側においては、その両側部に一対の第１切欠き２８が設けられ、かかる第１切欠き２８は、一端側内突出部２４及び一端側側壁部２０に渡って延びており、このように一対の第１切欠き２８を設けることにより、その一端側両側部に一対の第１取付部３０が設けられている。また、この一端側と同様に、毛髪梳き本体部１６の他端側においては、その両側部に一対の第２切欠き３２が設けられ、かかる第２切欠き３２は他端側内突出部２６及び他端側側壁部２２に渡って延びており、このように一対の第２切欠き３２を設けることにより、その他端側両側部に一対の第２取付部３４が設けられている。
【００２７】
この実施形態では、毛髪梳き本体部１６は、例えば、金属製プレート（例えば、ステンレス製プレートなど）に折曲げ加工を施すことにより形成され、このような毛髪梳き本体部１６の一対の第１取付部３０の先端部が内側に湾曲され、また一対の第２取付部３４の先端部も内側に湾曲されており、このように形成することにより、一対の第１取付部３０及び一対の第２取付部３４に弾性を持たせることができ、これらの弾性作用を利用して毛髪梳き本体部１６を第１加熱アイロン部１０（又は第２加熱アイロン部１２）に着脱自在に取り付けることができる。
【００２８】
この毛髪梳き具１４においては、毛髪梳き本体部１６の一端部側に毛髪梳き部３６が設けられ、その他端部側に毛髪冷却部３８が設けられている。更に説明すると、毛髪梳き部３６は、多数の柔軟な小突起部４２を有する毛髪梳き部材４０から構成され、図２に示すように、一対の第１切欠き２８の間にて一端側内突出部２４及び一端側側壁部２０にわたって設けられている。この毛髪梳き部材４０は、図４に拡大して示すように、そのベース部材４２の表面の全域に多数の細かいフック状小突起４４（小突起部４２を構成する）、例えば、略Ｊ字形状の糸状突起（このような糸状突起は、ループ状の糸状突起の先端部を切断することによって形成される）に形成される。このような毛髪梳き部材４０は、接着剤、両面テープなどにより毛髪梳き本体部１６に取り付けられる。
【００２９】
また、毛髪冷却部３８は、皮革部材４６から構成され、一対の第２切欠き３２の間にて他端側内突出部２６及び他端側側壁部２２にわたって設けられ、この形態では、更に本体部１８を覆って毛髪梳き部材４０まで設けられている。このように設けられているので、毛髪梳き本体部１６の表面（外面）は、第１及び第２取付部３０，３２の部分を除いて、毛髪梳き部材４０及び皮革部材４６で覆われている。この皮革部材４６は、動物の皮革部材（例えば、豚革）から構成するのが好ましく、このような皮革部材４６から形成することにより、熱の伝達を抑えることができる。この皮革部材４６は、毛髪梳き本体部１６の本体部１８まで設ける必要はなく、その他端側内突出部２６及び他端側側壁部２２にわたって設けることにより、所望の作用効果を得ることができる。
【００３０】
この毛髪梳き具１４は、ヘアアイロン２の第１及び第２アーム４，６の先端部、即ち第１及び第２加熱アイロン部１０，１２に取り付けられる。図１に示すように、この毛髪梳き具１４は、第１アーム４側においては毛髪梳き具１４の第１取付部３０を第１アーム４（又は第１加熱アイロン部１０）の片側部に当接させ、また第２アーム６側においてはその第２取付部３４を第２アーム６（又は第２加熱アイロン部１２）の他壁部に当接させることにより、第１及び第２アーム４，６に着脱自在に取り付けられ、かく取り付けた状態では、一対の第１取付部３０及び一対の第２取付部３４により弾性的に保持される。
【００３１】
かく取り付けた状態では、施術の際にヘアアイロン２を移動させる方向に見て、第１及び第２アーム４，６の第１及び第２加熱アイロン部１０，１２の下流側に毛髪梳き具１４の毛髪梳き部３６が位置し、それらの第１及び第２アイロン部１０，１２の上流側に毛髪梳き具１４の毛髪冷却部３８が位置する。
【００３２】
この毛髪梳き具１４を装着したヘアアイロン２を用いてストレートパーマをかけるときには、リングコーム（図示せず）ですくい取った毛髪にヘアアイロン２（具体的には、第１及び第２アーム４，６の第１及び第２加熱アイロン部１０，１２）を入れて軽く挟持し、この状態でリングコーンをあてがいながらヘアアイロン２を引くように移動させて施術を施す。ヘアアイロン２を移動させると、毛髪梳き具１４の毛髪梳き部材４０の多数のフック状小突起４４がすくい取った毛髪に引っ掛かるように作用し、これにより、この毛髪に適度のテンションをかけることができる。
【００３３】
そして、このようにしてテンションがかかった毛髪が第１及び第２加熱アイロン部１０，１２に導かれ、第１及び第２加熱アイロン部１０，１２間において熱を利用してストレートパーマが施される。ストレートパーマが施された後の毛髪は、毛髪梳き具１４の毛髪冷却部３８（皮革部材４６）に導かれ、毛髪冷却部３８に接触することにより冷却され、これにより、ストレートパーマをかけた際の毛髪からの無駄な水分の放散が抑えられ、毛髪の保水を保つことができる。
【００３４】
尚、この実施形態では、毛髪梳き具１４をヘアアイロン２の第１及び第２アーム４，６の双方に取り付けているが、第１及び第２アーム４，６のいずれか一方にのみ装着することにより上述の所望の作用効果を得ることができる。
【００３５】
この毛髪梳き具は、図５及び図６に示すように構成することもできる。尚、以下の実施形態及び変形形態において、上述の第１の実施形態と実質上同一の部材には同一の参照番号を付し、その説明を省略する。
【００３６】
図５及び図６において、この毛髪梳き具１４Ａにおいては、毛髪梳き本体部１６Ａの一対の第１取付部３０Ａは、その一端側側壁部２０から内側に直線状に延び、またその一対の第２取付部３４Ａは、その他端側側壁部２２から内側に直線状に延びている。
【００３７】
この毛髪梳き具１４Ａにおいては、一対の第１取付部３０Ａは、第１アーム４（又は第２アーム６）及び第１加熱アイロン部１０（又は第２加熱アイロン部１２）の片側の間隙に挿入され、一対の第２取付部３４Ａは、第１アーム４（又は第２アーム６）及び第１加熱アイロン部１０（又は第２加熱アイロン部１２）の他側の間隙に挿入され（図６参照）、このようにして毛髪梳き具１４Ａが第１アーム６（又は第２アーム６）の先端部に着脱自在に装着される。この毛髪梳き具１４Ａのその他の構成は、上述した第１の実施形態と実質上同一である。
【００３８】
この毛髪梳き具１４Ａにおいては、第１アーム４（又は第２アーム６）に取り付けた状態では、毛髪梳き具１４Ａの一端側においては、毛髪梳き本体部１８の一端側内突出部２４の先端部（これに装着された毛髪梳き部材４０）と第１加熱アイロン部１０（又は第２加熱アイロン部１２）の片側部との間に間隙が存在し、またその他端側においては、毛髪梳き本体部１８の他端側内突出部２６の先端部（これに装着された皮革部材４６）と第１加熱アイロン部１０（又は第２加熱アイロン部１２）の他側部との間に間隙が存在するように構成するのが好ましく、このように構成することにより、第１加熱アイロン部１０（又は第２加熱アイロン部１２）からの熱が毛髪梳き部材４０及び皮革部材４６に伝達されるのを防止することができる。
【００３９】
次に、図７を参照して、本発明に従う毛髪梳き具の第２の実施形態について説明する。尚、図７に示すヘアアイロンは右利き用のものであって、その第２アーム（第１アーム）の一部を示している。
【００４０】
図７において、この第２の実施形態においては、毛髪梳き具１４Ｂの毛髪梳き本体部１６Ｂは、一端側側壁部２０Ｂから本体部１８Ｂを通して他端側側壁部２２Ｂにわたって円弧状に形成され、この一端側側壁部２０Ｂの先端部から内側に一端側内突出部２４Ｂが突出し、その他端側側壁部２２Ｂの先端部から内側に他端側内突出部２６Ｂが突出している。
【００４１】
この毛髪梳き具１４Ｂの一端側においては、一対の第１切欠き２８（図７において一方のみ示す）により一対の第１取付部３０Ｂが設けられ、かかる第１取付部３０Ｂの先端弧状部が第２アーム６（又は第１アーム４）の第２加熱アイロン部１２（又は第１加熱アイロン部１０）の片側面に当接するように取り付けられ、またその他端側においては、一対の第２切欠き３２（図７において一方のみ示す）により一対の第２取付部３４Ｂが設けられ、かかる第２取付部３４Ｂの先端弧状部が第２アーム６（又は第１アーム４）の第２加熱アイロン部１２（又は第１加熱アイロン部１０）の他側面に当接するように取り付けられ、このようにして毛髪梳き具１４Ｂが第２アーム６（又は第１アーム４）の先端部に着脱自在に取り付けられる。
【００４２】
また、この第２の実施形態では、毛髪梳き部材４０は、毛髪梳き本体部１６Ｂの一端側内突出部２４Ｂから一端側側壁部２０Ｂにわたって設けられ、また皮革部材４６は、その他端側内突出部２６Ｂから他端側側壁部２２Ｂにわたって設けられ、このように毛髪梳き部材４０及び皮革部材４６を設けることによっても、上述したと同様の作用効果を達成することができる。
【００４３】
次に、図８〜図１０を参照して、本発明に従う毛髪梳き具の第３の実施形態について説明する。この第３の実施形態においては、毛髪梳き本体部の幅が調整可能に構成されている。
【００４４】
図８〜図１０において、この第３の実施形態の毛髪梳き具１４Ｃの毛髪梳き本体部１６Ｃは、相互に移動自在に装着された第１本体部５２及び第２本体部５４から構成されている。この第１本体部５２は、本体部１８Ｃの片側部、一端側側壁部２０Ｃ及び一端側内突出部２４Ｃを有し、この一端側内突出部２４Ｃ及び一端側側壁部２０Ｃにわたって毛髪梳き部材４０が取り付けられている。また、第２本体部５４は、本体部１８Ｃの他側部、他端側側壁部２２Ｃ及び他端側内突出部２６Ｃを有し、この他端側内突出部２６Ｃ及び他端側側壁部２２Ｃにわたって皮革部材４６が設けられている。
【００４５】
この実施形態では、第１本体部５２に一対の当接部５６が設けられ、各当接部５６は、第１本体部５２の端部（図９において左端部）両側部に設けられた突出部５８を内側に折曲することにより形成されている。また、第１本体部５２側の一対の当接部５６に対応して、第２本体部５４に一対の案内部６０（図８及び図１０において一方のみを示す）が設けられ、各案内部６０は、第２本体部５４の端部（図９において右端部）両側部に設けられた突出部６２をコ字状に折曲することにより構成され、この突出部６２には内側（相互に対向する側）に開放された案内溝６４が規定される。
【００４６】
この第１本体部５２及び第２本体部５４は、図８及び図１０から理解されるように、第２本体部５４の一対の案内部６０の案内溝６４に第１本体部５２の両側部が移動自在となるように受け入れられ、このように装着した状態にて第１及び第２本体部５２，５４を相対的に離隔する方向（又は近接する方向）に移動させると、第１本体部５２の両側部が第２本体部５４側の一対の案内部６０の案内溝６４に沿って移動され、毛髪梳き本体部１６Ｃの大きさ（換言すると、毛髪梳き部材４０と皮革部材４６との間隔）が大きくなる（又は小さくなる）ように調整することができる。また、この離隔する方向に大きく移動させると、第１本体部５２側の一対の当接部５６が第２本体部５４側の一対の案内部６０に当接し、これにより、第１及び第２本体部５２，５４が分離して外れるのを防止することができる。
【００４７】
尚、この実施形態では、第１本体部５２に当接部５６を設け、第２本体部５４に案内部６０を設けているが、これとは反対に、第１本体部５２に案内部６０を設け、第２本体部５４に当接部５６を設けるようにしてもよい。
【００４８】
以上、本発明に従う毛髪梳き具（これを備えたヘアアイロン）の各種実施形態について説明したが、本発明はこれら実施形態に限定されるものではなく、本発明の範囲を逸脱することなく種々の変更乃至修正が可能である。
【符号の説明】
【００４９】
２  ヘアアイロン
４，６  アーム
１０，１２  加熱アイロン部
１４，１４Ａ，１４Ｂ，１４Ｃ  毛髪梳き具
１６，１６Ａ，１６Ｂ，１６Ｃ  毛髪梳き本体部
２８，３２  切欠き
３０，３０Ａ，３０Ｂ，３０Ｃ，３４，３４Ａ，３４Ｂ，３４Ｃ  取付部
３６  毛髪梳き部
３８  毛髪冷却部
４０  毛髪梳き部材
４６  皮革部材
５２  第１本体部
５４  第２本体部
【図１】
2019122650.tif 000003
【図２】
2019122650.tif 000004
【図３】
2019122650.tif 000005
【図４】
2019122650.tif 000006
【図５】
2019122650.tif 000007
【図６】
2019122650.tif 000008
【図７】
2019122650.tif 000009
【図８】
2019122650.tif 000010
【図９】
2019122650.tif 000011
【図１０】
2019122650.tif 000012